(57)【特許請求の範囲】
【請求項１】
近傍端末を発見するためのＤ２Ｄ発見手順用の発見リソースが配置される発見リソースプールが、上りリンクのセルラ通信用の周波数帯に設けられており、
前記発見リソースプールは、ユーザ端末に固有に割り当てられない第１の発見リソースが配置される第１の発見リソースプールと、ユーザ端末毎に固有に割り当てられる第２の発見リソースが配置される第２の発見リソースプールと、を含み、
前記第１の発見リソースプールと前記第２の発見リソースプールとは、前記上りセルラ通信の再送間隔よりも短い時間間隔で、時間方向において交互に配置されており、
前記第１の発見リソースプールの時間方向における周期と、前記第２の発見リソースプールの時間方向における周期とが異なることを特徴とする移動通信システム。
【請求項２】
前記第１の発見リソースプールと前記第２の発見リソースプールとは、時間方向において連続していないことを特徴とする請求項１に記載の移動通信システム。
【請求項３】
前記発見リソースプールと、上りリンクのセルラ通信用の無線リソース領域とが、時間方向において交互に配置されることを特徴とする請求項１に記載の移動通信システム。
【請求項４】
近傍端末を発見するためのＤ２Ｄ発見手順用の発見リソースを用いて、Ｄ２Ｄ発見手順を行う制御部を備え、
前記発見リソースが配置される発見リソースプールが、上りリンクのセルラ通信用の周波数帯に設けられており、
前記発見リソースプールは、ユーザ端末に固有に割り当てられない第１の発見リソースが配置される第１の発見リソースプールと、ユーザ端末毎に固有に割り当てられる第２の発見リソースが配置される第２の発見リソースプールと、を含み、
前記第１の発見リソースプールと前記第２の発見リソースプールとは、前記上りセルラ通信の再送間隔よりも短い時間間隔で、時間方向において交互に配置されており、
前記第１の発見リソースプールの時間方向における周期と、前記第２の発見リソースプールの時間方向における周期とが異なることを特徴とするユーザ端末。
【請求項５】
ユーザ端末に備えられるプロセッサであって、
近傍端末を発見するためのＤ２Ｄ発見手順用の発見リソースを用いて、Ｄ２Ｄ発見手順を行う処理を実行し、
前記発見リソースが配置される発見リソースプールが、上りリンクのセルラ通信用の周波数帯に設けられており、
前記発見リソースプールは、ユーザ端末に固有に割り当てられない第１の発見リソースが配置される第１の発見リソースプールと、ユーザ端末毎に固有に割り当てられる第２の発見リソースが配置される第２の発見リソースプールと、を含み、
前記第１の発見リソースプールと前記第２の発見リソースプールとは、前記上りセルラ通信の再送間隔よりも短い時間間隔で、時間方向において交互に配置されており、
前記第１の発見リソースプールの時間方向における周期と、前記第２の発見リソースプールの時間方向における周期とが異なることを特徴とするプロセッサ。
【発明の詳細な説明】
【技術分野】
【０００１】
本出願は、直接的な端末間通信であるＤ２Ｄ通信をサポートする移動通信システム、ユーザ端末及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）近傍サービスの導入が検討されている（非特許文献１参照）。【０００３】
Ｄ２Ｄ近傍サービス（Ｄ２Ｄ  ＰｒｏＳｅ）は、同期がとられた複数のユーザ端末からなる同期クラスタ内で直接的な端末間通信を可能とするサービスである。Ｄ２Ｄ近傍サービスは、近傍端末を発見するためのＤ２Ｄ発見手順（Ｄｉｓｃｏｖｅｒｙ）と、直接的な端末間通信であるＤ２Ｄ通信（Ｃｏｍｍｕｎｉｃａｔｉｏｎ）と、を含む。【０００４】
Ｄ２Ｄ発見手順の方式には、ＵＥ１００に固有に割り当てられない無線リソースがＤｉｓｃｏｖｅｒｙ信号の送信に使用される第１の発見方式（Ｔｙｐｅ  １  ｄｉｓｃｏｖｅｒｙ）と、ＵＥ１００毎に固有に割り当てられる無線リソースがＤｉｓｃｏｖｅｒｙ信号の送信に使用される第２の発見方式（Ｔｙｐｅ  ２  ｄｉｓｃｏｖｅｒｙ）とがある。
【先行技術文献】
【非特許文献】
【０００５】
【非特許文献１】３ＧＰＰ技術報告書  「ＴＲ  ３６．８４３  Ｖ１２．０．１」  ２０１４年３月２７日
【発明の概要】
【０００６】
ここで、第１の発見リソース及び第２の発見リソースが配置される発見リソースプールは、上りリンクのセルラ通信用の周波数帯域に設けられることが想定される。
【０００７】
しかしながら、現状では、上りリンクのセルラ通信用の周波数帯域に、発見リソースプールをどのように配置するかについて決定されておらず、発見リソースプールを適切な配置が求められている。
【０００８】
そこで、本出願は、上りリンクのセルラ通信用の周波数帯域に設けられる発見リソースプールを適切に配置可能とすることを目的とする。
【０００９】
一実施形態に係る移動通信システムでは、近傍端末を発見するためのＤ２Ｄ発見手順用の発見リソースが配置される発見リソースプールが、上りリンクのセルラ通信用の周波数帯に設けられている。前記発見リソースプールは、ユーザ端末に固有に割り当てられない第１の発見リソースが配置される第１の発見リソースプールと、ユーザ端末毎に固有に割り当てられる第２の発見リソースが配置される第２の発見リソースプールと、を含む。前記第１の発見リソースプールと前記第２の発見リソースプールとは、前記上りセルラ通信の再送間隔よりも短い時間間隔で、時間方向において交互に配置される。
【図面の簡単な説明】
【００１０】
【図１】図１は、実施形態に係るＬＴＥシステムの構成図である。
【図２】図２は、実施形態に係るＵＥのブロック図である。
【図３】図３は、実施形態に係るｅＮＢのブロック図である。
【図４】図４は、実施形態に係るプロトコルスタック図である。
【図５】図５は、実施形態に係る無線フレームの構成図である。
【図６】図６は、実施形態に係る発見リソースプールを説明するための図である。
【図７】図７は、付記に係る発見リソースプール（その１）を説明するための図である。
【図８】図８は、付記に係る発見リソースプール（その２）を説明するための図である。
【発明を実施するための形態】
【００１１】
［実施形態の概要］
実施形態に係る移動通信システムでは、近傍端末を発見するためのＤ２Ｄ発見手順用の発見リソースが配置される発見リソースプールが、上りリンクのセルラ通信用の周波数帯に設けられている。前記発見リソースプールは、ユーザ端末に固有に割り当てられない第１の発見リソースが配置される第１の発見リソースプールと、ユーザ端末毎に固有に割り当てられる第２の発見リソースが配置される第２の発見リソースプールと、を含む。前記第１の発見リソースプールと前記第２の発見リソースプールとは、前記上りセルラ通信の再送間隔よりも短い時間間隔で、時間方向において交互に配置される。
【００１２】
実施形態では、前記発見リソースプールと、上りリンクのセルラ通信用の無線リソース領域とが、時間方向において交互に配置される。
【００１３】
実施形態に係るユーザ端末は、近傍端末を発見するためのＤ２Ｄ発見手順用の発見リソースを用いて、Ｄ２Ｄ発見手順を行う制御部を備える。前記発見リソースが配置される発見リソースプールが、上りリンクのセルラ通信用の周波数帯に設けられている。前記発見リソースプールは、ユーザ端末に固有に割り当てられない第１の発見リソースが配置される第１の発見リソースプールと、ユーザ端末毎に固有に割り当てられる第２の発見リソースが配置される第２の発見リソースプールと、を含む。前記第１の発見リソースプールと前記第２の発見リソースプールとは、前記上りセルラ通信の再送間隔よりも短い時間間隔で、時間方向において交互に配置される。
【００１４】
実施形態に係るプロセッサは、ユーザ端末に備えられる。当該プロセッサは、近傍端末を発見するためのＤ２Ｄ発見手順用の発見リソースを用いて、Ｄ２Ｄ発見手順を行う処理を実行する。前記発見リソースが配置される発見リソースプールが、上りリンクのセルラ通信用の周波数帯に設けられている。前記発見リソースプールは、ユーザ端末に固有に割り当てられない第１の発見リソースが配置される第１の発見リソースプールと、ユーザ端末毎に固有に割り当てられる第２の発見リソースが配置される第２の発見リソースプールと、を含む。前記第１の発見リソースプールと前記第２の発見リソースプールとは、前記上りセルラ通信の再送間隔よりも短い時間間隔で、時間方向において交互に配置される。
【００１５】
［実施形態］
以下において、本出願の内容をＬＴＥシステムに適用する場合の実施形態を説明する。
【００１６】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００１７】
ＵＥ１００は、ユーザ端末に相当する。ＵＥ１００は、移動型の通信装置であり、接続先のセル（サービングセル）との無線通信を行う。ＵＥ１００の構成については後述する。
【００１８】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００１９】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００２０】
ＥＰＣ２０は、コアネットワークに相当する。Ｅ−ＵＴＲＡＮ１０及びＥＰＣ２０によりＬＴＥシステムのネットワーク（ＬＴＥネットワーク）が構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００２１】
図２は、ＵＥ１００のブロック図である。図２に示すように、ＵＥ１００は、アンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０は記憶部に相当し、プロセッサ１６０は制御部に相当する。ＵＥ１００は、ＧＮＳＳ受信機１３０を有していなくてもよい。また、メモリ１５０をプロセッサ１６０と一体化し、このセット（すなわち、チップセット）を、制御部を構成するプロセッサ１６０’としてもよい。
【００２２】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００２３】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００２４】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００２５】
図３は、ｅＮＢ２００のブロック図である。図３に示すように、ｅＮＢ２００は、アンテナ２０１、無線送受信機２１０、ネットワークインターフェイス２２０、メモリ２３０、及びプロセッサ２４０を備える。なお、メモリ２３０をプロセッサ２４０と一体化し、このセット（すなわち、チップセット）を、制御部を構成するプロセッサ２４０’としてもよい。
【００２６】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００２７】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００２８】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００２９】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３０】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００３１】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するスケジューラを含む。
【００３２】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００３３】
ＰＤＣＰ層は、ヘッダ圧縮・伸張、及び暗号化・復号化を行う。
【００３４】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００３５】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００３６】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００３７】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００３８】
（Ｄ２Ｄ近傍サービス）
以下において、Ｄ２Ｄ近傍サービスについて説明する。実施形態に係るＬＴＥシステムは、Ｄ２Ｄ近傍サービスをサポートする。Ｄ２Ｄ近傍サービスについては非特許文献１に記載されているが、ここではその概要を説明する。
【００３９】
Ｄ２Ｄ近傍サービス（Ｄ２Ｄ  ＰｒｏＳｅ）は、同期がとられた複数のＵＥ１００からなる同期クラスタ内で直接的なＵＥ間通信を可能とするサービスである。Ｄ２Ｄ近傍サービスは、近傍ＵＥを発見するＤ２Ｄ発見手順（Ｄｉｓｃｏｖｅｒｙ）と、直接的なＵＥ間通信であるＤ２Ｄ通信（Ｃｏｍｍｕｎｉｃａｔｉｏｎ）と、を含む。Ｄ２Ｄ通信は、Ｄｉｒｅｃｔ  ｃｏｍｍｕｎｉｃａｔｉｏｎとも称される。
【００４０】
同期クラスタを形成する全ＵＥ１００がセルカバレッジ内に位置するシナリオを「カバレッジ内（Ｉｎ  ｃｏｖｅｒａｇｅ）」という。同期クラスタを形成する全ＵＥ１００がセルカバレッジ外に位置するシナリオを「カバレッジ外（Ｏｕｔ  ｏｆ  ｃｏｖｅｒａｇｅ）」という。同期クラスタのうち一部のＵＥ１００がセルカバレッジ内に位置し、残りのＵＥ１００がセルカバレッジ外に位置するシナリオを「部分的カバレッジ（Ｐａｒｔｉａｌ  ｃｏｖｅｒａｇｅ）」という。
【００４１】
カバレッジ内では、例えばｅＮＢ２００がＤ２Ｄ同期元となる。Ｄ２Ｄ非同期元は、Ｄ２Ｄ同期信号を送信せずにＤ２Ｄ同期元に同期する。Ｄ２Ｄ同期元であるｅＮＢ２００は、Ｄ２Ｄ近傍サービスに使用可能な無線リソースを示すＤ２Ｄリソース情報を、ブロードキャスト信号により送信する。Ｄ２Ｄリソース情報は、例えば、Ｄ２Ｄ発見手順に使用可能な無線リソースを示す情報（Ｄｉｓｃｏｖｅｒｙリソース情報）及びＤ２Ｄ通信に使用可能な無線リソースを示す情報（Ｃｏｍｍｕｎｉｃａｔｉｏｎリソース情報）を含む。Ｄ２Ｄ非同期元であるＵＥ１００は、ｅＮＢ２００から受信するＤ２Ｄリソース情報に基づいて、Ｄ２Ｄ発見手順及びＤ２Ｄ通信を行う。
【００４２】
カバレッジ外又は部分的カバレッジでは、例えばＵＥ１００がＤ２Ｄ同期元となる。カバレッジ外では、Ｄ２Ｄ同期元であるＵＥ１００は、Ｄ２Ｄ近傍サービスに使用可能な無線リソースを示すＤ２Ｄリソース情報を、例えばＤ２Ｄ同期信号により送信する。Ｄ２Ｄ同期信号は、端末間同期を確立するＤ２Ｄ同期手順において送信される信号である。Ｄ２Ｄ同期信号は、Ｄ２ＤＳＳ及び物理Ｄ２Ｄ同期チャネル（ＰＤ２ＤＳＣＨ）を含む。Ｄ２ＤＳＳは、時間・周波数の同期基準を提供する信号である。ＰＤ２ＤＳＣＨは、Ｄ２ＤＳＳよりも多くの情報を運搬する物理チャネルである。ＰＤ２ＤＳＣＨは、上述したＤ２Ｄリソース情報（Ｄｉｓｃｏｖｅｒｙリソース情報、Ｃｏｍｍｕｎｉｃａｔｉｏｎリソース情報）を運搬する。或いは、Ｄ２ＤＳＳにＤ２Ｄリソース情報を関連付けることにより、ＰＤ２ＤＳＣＨを不要としてもよい。
【００４３】
Ｄ２Ｄ発見手順では、近傍端末を発見するための発見信号（以下、Ｄｉｓｃｏｖｅｒｙ信号）が送信される。Ｄ２Ｄ発見手順の方式として、ＵＥ１００に固有に割り当てられない無線リソースがＤｉｓｃｏｖｅｒｙ信号の送信に使用される第１の発見方式（Ｔｙｐｅ  １  ｄｉｓｃｏｖｅｒｙ）と、ＵＥ１００毎に固有に割り当てられる無線リソースがＤｉｓｃｏｖｅｒｙ信号の送信に使用される第２の発見方式（Ｔｙｐｅ  ２  ｄｉｓｃｏｖｅｒｙ）とがある。第２の発見方式では、Ｄｉｓｃｏｖｅｒｙ信号の送信毎に個別に割り当てられた無線リソース、又は、半固定的（ｓｅｍｉ−ｐｅｒｓｉｓｔｅｎｔｌｙ）に割り当てられた無線リソースが使用される。
【００４４】
（Ｄｉｓｃｏｖｅｒｙリソースプール）
次に、Ｄ２Ｄ発見手順において用いられる無線リソースの候補が配置される発見リソースプール（Ｄｉｓｃｏｖｅｒｙリソースプール）について、図６を用いて説明する。図６は、発見リソースプールを説明するための図である。
【００４５】
図６に示すように、Ｄｉｓｃｏｖｅｒｙリソースプールは、上りリンクのセルラ通信（ＷＡＮ  ＵＬ）用の周波数帯に設けられる。
【００４６】
Ｄｉｓｃｏｖｅｒｙリソースプールは、第１の発見方式に用いられる第１のＤｉｓｃｏｖｅｒｙリソースプールと、第２の発見方式に用いられる第２のＤｉｓｃｏｖｅｒｙリソースプールとを含む。
【００４７】
第１のＤｉｓｃｏｖｅｒｙリソースプールと第２のＤｉｓｃｏｖｅｒｙリソースプールとは、上りセルラ通信の再送間隔（例えば、８サブフレーム間隔）よりも短い時間間隔で、時間方向において交互に配置される。これにより、図６に示すように、第１のＤｉｓｃｏｖｅｒｙリソースプールと第２のＤｉｓｃｏｖｅｒｙリソースプールとが、時間方向において重複していない時分割多重化（ＴＤＭ）されるであっても、第１のＤｉｓｃｏｖｅｒｙリソースプールと第２のＤｉｓｃｏｖｅｒｙリソースプールとの両方が、短時間で交互に利用可能である。このため、第１の発見方式を用いるＵＥ１００及び第２の発見方式を用いるＵＥ１００の一方が、Ｄ２Ｄ発見手順を、長時間行えないということを回避できる。
【００４８】
なお、第１のＤｉｓｃｏｖｅｒｙリソースプールと第２のＤｉｓｃｏｖｅｒｙリソースプールとが、時間方向において重複していないことによって、例えば、Ｄｉｓｃｏｖｅｒｙ信号の送信と受信とが同時にできないという問題（いわゆる、Ｈａｌｆ−ｄｕｐｌｅｘ問題）を回避できる。
【００４９】
本実施形態において、第１のＤｉｓｃｏｖｅｒｙリソースプール及び第２のＤｉｓｃｏｖｅｒｙリソースプールのそれぞれの時間方向における幅は、１サブフレームである。また、第１のＤｉｓｃｏｖｅｒｙリソースプール及び第２のＤｉｓｃｏｖｅｒｙリソースプールのそれぞれは、３サブフレーム毎に配置される。具体的には、第１のＤｉｓｃｏｖｅｒｙリソースプールは、サブフレーム番号が０、３、６、９、１２などの位置に配置される。また、第２のＤｉｓｃｏｖｅｒｙリソースプールは、サブフレーム番号が、１、４、７、１０、１３などの位置に配置される。
【００５０】
本実施形態では、Ｄｉｓｃｏｖｅｒｙリソースプールにおいて、第１のＤｉｓｃｏｖｅｒｙリソースプールが先に配置され、第２のＤｉｓｃｏｖｅｒｙリソースプールが後に配置されているが、逆であってもよい。例えば、セルによって、第１のＤｉｓｃｏｖｅｒｙリソースプールと第２のＤｉｓｃｏｖｅｒｙリソースプールの配置が異なってもよい。
【００５１】
また、少なくとも一定期間において、第１のＤｉｓｃｏｖｅｒｙリソースプールの時間方向における周期と、第２のＤｉｓｃｏｖｅｒｙリソースプールの時間方向における周期とが異なっていてもよい。
【００５２】
上りセルラ通信用の無線リソースの候補が配置される上りセルラリソース領域の時間方向における幅は、１サブフレームである。また、上りセルラリソース領域は、３サブフレーム毎に配置される。具体的には、上りセルラリソース領域は、サブフレーム番号が２、５、８、１１、１４などの位置に配置される。従って、上りセルラリソース領域とＤｉｓｃｏｖｅｒｙリソースプール（具体的には、第１のＤｉｓｃｏｖｅｒｙリソースプール及び第２のＤｉｓｃｏｖｅｒｙリソースプール）とが、時間方向において交互に配置される。これにより、ＵＥ１００が、上りセルラ通信及びＤ２Ｄ発見手順のいずれかを長時間行えないということを回避できる。
【００５３】
なお、図６に示すように、上りセルラリソース領域の時間方向における幅が、１サブフレームを超えた上りセルラリソース領域が存在していてもよい。
【００５４】
［その他の実施形態］
上述した実施形態では、移動通信システムの一例としてＬＴＥシステムを説明したが、ＬＴＥシステムに限定されるものではなく、ＬＴＥシステム以外のシステムに本出願の内容を適用してもよい。
【００５５】
なお、米国仮出願第６１／９９１０３０号（２０１４年５月９日出願）の全内容が、参照により、本願明細書に組み込まれている。
【００５６】
［付記］
（１）導入
Ｄ２Ｄ発見及びＷＬＡＮの共存について検討される。この付記において、Ｄ２Ｄ発見及びＷＬＡＮの多重化について検討する。
【００５７】
（２）Ｄ２Ｄ発見のためのリソース割り当て
この章では、Ｄ２Ｄ発見リソースプールの割り当てについて検討する。Ｄ２Ｄ発見リソースプールおよびＷＡＮ  ＵＬの多重化は、例えば、ハーフデュプレックス問題（ｈａｌｆ−ｄｕｐｌｅｘ  ｃｏｎｓｔｒａｉｎｔ）、インバンドエミッション（ｉｎ−ｂａｎｄ  ｅｍｉｓｓｉｏｎ）が原因の影響、ＵＬのスループット影響、及び、ＵＬ遅延影響などのいくつかの問題がある。図７に示すように、第１の発見方式（Ｔｙｐｅ  １  ｄｉｓｃｏｖｅｒｙ）、第２の発見方式（Ｔｙｐｅ  ２  ｄｉｓｃｏｖｅｒｙ）及びＷＡＮ  ＵＬは、ハーフデュプレックス問題及びインバンドエミッションが原因の影響のために、ＴＤＭ方法で多重化すべきである。
【００５８】
・提案１：第１の発見方式、第２の発見方式及びＷＡＮ  ＵＬは、ＴＤＭ化されるべきである。
【００５９】
しかしながら、第１及び第２の発見方式の連続的な割り当ては、ＵＬ  ＷＡＮ遅延に影響を与える可能性がある。この考えが共有される場合、ＷＬＡＮ  ＵＬリソースが、図８に示すように、第１及び第２の発見方式の領域の間に挿入されるべきである。Ｄ２Ｄ発見リソースの制限が指定されるべきであり、ＷＡＮ  ＵＬ割り当てをｅＮＢの実装にすべきである。
【００６０】
・提案２：Ｄ２Ｄ発見リソースプールの時間連続的な割り当てがサポートされるべきではない。
【００６１】
・提案３：ＷＡＮ  ＵＬ割り当て制限は仕様に導入されるべきではない。
【００６２】
さらなる改善のために、第１及び第２の発見方式のための時間ダイバーシチの導入を考慮できる。図６は、時間ダイバーシチゲインを考慮した、第１の発見方式、第２の発見方式及びＷＡＮ  ＵＬの多重化の一例である。
【産業上の利用可能性】
【００６３】
以上のように、本実施形態に係る移動通信システム、ユーザ端末及びプロセッサによれば、上りリンクのセルラ通信用の周波数帯域に設けられる発見リソースプールを適切に配置できるため、移動通信分野において有用である。
【図１】
0006619730.tif 000002
【図２】
0006619730.tif 000003
【図３】
0006619730.tif 000004
【図４】
0006619730.tif 000005
【図５】
0006619730.tif 000006
【図６】
0006619730.tif 000007
【図７】
0006619730.tif 000008
【図８】
0006619730.tif 000009